(57)【要約】【課題】植物栄養剤容器が、角形の横断面を有しながら複数個ずつ連結された構造で成形されることで、その包装や保管が便利であり、物流費の節減をもたらし、大量生産に適した植物栄養剤容器の結合体を提供する。【解決手段】本体部と、前記本体部の上部にテーパー形状に備わる投入口と、前記投入口の上部に分離可能に備わる栓とからなる植物栄養剤容器が少なくとも二つ以上連結されて成形された植物栄養剤容器の結合体を構成する。【選択図】図４
2009514754.tif 000002
【特許請求の範囲】
【請求項１】
本体部と、前記本体部の上部にテーパー形状に備わる投入口と、前記投入口の上部に分離可能に備わる栓とからなる植物栄養剤容器が少なくとも二つ以上連結されて成形されたことを特徴とする植物栄養剤容器の結合体。
【請求項２】
植物栄養剤容器が少なくとも二つ以上連結される結合構造は、連結線の形態で結合されてブロー加工されることで、容易に分離される構造であることを特徴とする請求項１に記載の植物栄養剤容器の結合体。
【発明の詳細な説明】
【技術分野】
【０００１】
本発明は、植物栄養剤容器の結合体に関するもので、特に、植物栄養剤が充填される容器が多数個ずつ連結成形されることで、包装及び保管が容易であるとともに、物流費の節減をもたらし、大量生産が可能であり、結果的に、生産性が向上し、使用者が購入後に容易に管理しながら使用できる植物栄養剤容器の結合体に関するものである。
【背景技術】
【０００２】
一般的に、家庭や会社で植木鉢に花や欄などの植物を育てる場合、不足した栄養を補充したり、成長発育を促進するために、窒素、リン酸及びカリウムを適宜配合した植物栄養剤を使用する。
このような植物栄養剤は、通常、横断面が円形である容器内に収容されて販売されており、ここで、前記容器は、その端部にテーパー形状の投入口が備わり、前記投入口の端部には栓が備わる。これによって、前記栓を開封した後、植木鉢に植栽された植物の根付近に前記投入口を差し込んで固定すると、前記容器内の植物栄養剤は、徐々に土に浸透しながら植物の根を通して吸収される。
【０００３】
しかしながら、上記のような従来の容器は、円形の横断面を有する構造であるので、その包装または保管時に各容器の間に不必要な隙間が多く発生する。したがって、従来の植物栄養剤容器は、その包装または保管時に相互間の隙間によって必要以上の包装空間や保存空間を占めることになり、結果的に物流費用の増加をもたらしていた。
そして、従来の植物栄養剤容器は、通常、一つずつ製作されるので、生産性が低いという問題点があった。
また、従来の植物栄養剤容器は、一つずつ個別的に製作されるとともに、円形の横断面を有する構造であるので、その包装または保管時に各植物栄養剤容器が容易に散らばるようになり、作業上の困難さが発生する。これは、植物栄養剤容器の生産場所、流通場所、及び最終的に植物栄養剤容器を購入する使用者の家庭においても同一に該当する事項である。
【発明の開示】
【発明が解決しようとする課題】
【０００４】
本発明は、上記のような問題点を解決するためになされたもので、その目的は、植物栄養剤容器が、角形の横断面を有しながら複数個ずつ連結される構造で成形されることで、その包装や保管が便利であり、物流費の節減をもたらし、大量生産に適した植物栄養剤容器の結合体を提供することにある。
また、本発明は、植物栄養剤を包装するための植物栄養剤容器が多数個ずつ連結された構造で製造・販売されることで、使用者が購入後に容易に管理するとともに、使用時に一つずつ簡便に分離して使用できる植物栄養剤容器の結合体を提供することにある。
【課題を解決するための手段】
【０００５】
上記のような目的を達成するために、本発明は、角形の横断面を有する本体部と、前記本体部の一端にテーパー形状に形成された投入口と、前記投入口の上部に構成される栓とからなる植物栄養剤容器が少なくとも二つ以上連結成形されたことを特徴とする植物栄養剤容器の結合体を提供する。
上記のように、植物栄養剤容器が少なくとも二つ以上連結される結合構造は、連結線の形態で結合されてブロー加工されることで、容易に分離される構造であることを特徴とする。
【発明の効果】
【０００６】
本発明に係る植物栄養剤容器の結合体によると、植物栄養剤容器が、その包装や保管時に相互間の接触部位に発生する空間の最小化状態で包装または保管されるので、包装空間や保管空間に対する空間的な活用度が極大化され、結果的に物流費の節減をもたらすという効果がある。
そして、植物栄養剤容器が多数個ずつ一回の加工を通して同時に製作されるので、植物栄養剤を包装するための植物栄養剤容器を迅速に大量生産することができる。
また、複数の植物栄養剤容器が一体に連結されて単一の結合体形態で製作・販売されるので、使用者は、複数の植物栄養剤容器を容易に管理することができ、使用時に一つの植物栄養剤容器をその結合体から容易に分離しながら使用することができる。
【発明を実施するための最良の形態】
【０００７】
以下、本発明の好適な実施例を添付の図面に基づいて詳細に説明する。
図１は、本発明に係る植物栄養剤容器の結合体の一実施例を示した斜視図で、図２は、図１による植物栄養剤容器の結合体の平面図で、図３は、本発明に係る植物栄養剤容器の断面図で、図４は、本発明に係る植物栄養剤容器の結合体から一つの植物栄養剤容器が分離される状態を示した斜視図である。
図示したように、本発明に係る植物栄養剤容器の結合体１００は、植物栄養剤容器１が複数個連結される構造である。
【０００８】
以下、上記のような植物栄養剤容器の結合体１００をなす容器１の構造を簡略に説明する。上述したように、植物栄養剤容器１は、本体部１０、投入口２０及び栓３０を含んで構成される。
本体部１０は、その内部に植物栄養剤が充填されるもので、この本体部１０は、四角形や四角形と類似した角形の横断面を有する構造となっている。本実施例において、本体部１０は、比較的薄い厚さの直四角形の横断面を有して構成されているが、これに限定されることなく、四角形や四角形と類似した横断面を有する範囲内で多様に形成されうる。
投入口２０は、本体部１０の上部から延長されて本体部１０の内部空間と連通され、このような投入口２０は、植物栄養剤を排出するための開放された先端側に行くほど幅が漸次的に減少するテーパー構造をなす。
【０００９】
栓３０は、投入口２０の開放された先端に結合され、このような栓３０によって、本体部１０に充填された植物栄養剤が外部に排出されることを遮断することができる。また、栓３０の分離時に、本体部１０に充填された植物栄養剤は、投入口２０の開放された先端を通して外部に排出される。
そして、前記構成の植物栄養剤容器１が複数個ずつ連結されて結合体１００を形成する構造において、それぞれの植物栄養剤容器１の対向面が連結線１１０の形態で連結されるように、ブロー及びエジェクションなどの多様な方式で加工されることで、単一の植物栄養剤容器の結合体１００に製造されることが好ましい。これによって、使用者は、使用時に、植物栄養剤容器の結合体１００から一つの植物栄養剤容器１を順次的に容易に分離しながら使用することができる。
【００１０】
本実施例では、９個の植物栄養剤容器が一つの結合体をなす形態を例に挙げたが、これに限定されることなく、結合体を形成するための容器の数は多様に調整されうる。
上記のような構成により、植物栄養剤容器の結合体１００は、それぞれの植物栄養剤容器１が四角形や四角形と類似した横断面を有するので、所定大きさの箱に多数個の植物栄養剤容器の結合体１００を包装するとき、各植物栄養剤容器１の平らな一面が互いに密着された状態で包装される。すなわち、植物栄養剤容器の結合体１００の包装過程で、それぞれの植物栄養剤容器１は、互いの接触部分に空間を形成せずに密着された状態で包装されるので、その結果、植物栄養剤容器の結合体１００は、包装箱の収納空間を効率的に活用しながら最大限に包装される。
【００１１】
そして、上記のように植物栄養剤容器１を包装箱に包装する場合の他に、植物栄養剤容器１を流通過程で倉庫に保管したり、容器１を消費者が購買して家庭に保管する場合にも、保管に必要な空間を最小化することができ、既存の円形断面を有する植物栄養剤容器に比べてより多数の植物栄養剤容器１を同一空間に保管することができる。
また、複数の植物栄養剤容器１が単一の複数の植物栄養剤容器の結合体１００をなしながら同時にブロー加工されるので、植物栄養剤容器１の大量生産が可能になる。
また、使用者は、多数個の植物栄養剤容器が一つの束状に提供されるので、家庭で保管するとき、それぞれの植物栄養剤容器を個別的に管理したり、植物栄養剤容器が散らばって管理に困難が伴う現象を防止することができる。これによって、一定の場所に多数個の植物栄養剤容器を並べて保管するとともに、使用時に、一つの植物栄養剤容器をその結合体から一つずつ分離しながら使用すればよい。
【産業上の利用可能性】
【００１２】
本発明に係る植物栄養剤容器の結合体によると、植物栄養剤容器が、その包装や保管時に相互間の接触部位に発生する空間の最小化状態で包装または保管されるので、包装空間や保管空間に対する空間的な活用度が極大化され、結果的に物流費の節減をもたらすという効果がある。
【図面の簡単な説明】
【００１３】
【図１】本発明に係る植物栄養剤容器の結合体の一実施例を示した斜視図である。
【図２】図１による植物栄養剤容器の結合体の平面図である。
【図３】本発明に係る植物栄養剤容器の断面図である。
【図４】本発明に係る植物栄養剤容器の結合体から一つの植物栄養剤容器が分離される状態を示した斜視図である。
【符号の説明】
【００１４】
１  植物栄養剤容器
１０  本体部
２０  投入口
３０  栓
１００  植物栄養剤容器の結合体
１１０  連結線
【図１】
2009514754.tif 000003
【図２】
2009514754.tif 000004
【図３】
2009514754.tif 000005
【図４】
2009514754.tif 000006
【国際調査報告】
2009514754.tif 000007
2009514754.tif 000008